(57)【要約】  本願は参照信号の伝送方法、端末及びネットワーク機器を開示し、前記方法は、端末が、ネットワーク機器から送信された、伝送対象の復調用参照信号ＤＭＲＳを伝送する際に用いた伝送パターンが第１伝送パターンであるか又は第２伝送パターンであるかを示すための第１情報を受信することと、前記端末が前記第１伝送パターン又は前記第２伝送パターンで示す伝送リソースにおいて前記ネットワーク機器と前記伝送対象のＤＭＲＳの伝送を行うことと、を含む。第１情報で伝送対象のＤＭＲＳを伝送する伝送パターンを示すことにより、従来技術における一定のリソースのみにおいてＤＭＲＳを伝送できることを回避し、ＤＭＲＳを伝送する柔軟性の向上に役立つ。
2020519087.tif 000002
【特許請求の範囲】
【請求項１】
参照信号の伝送方法であって、
端末はネットワーク機器から送信された第１情報を受信し、前記第１情報は伝送対象の復調用参照信号ＤＭＲＳを伝送する際に用いた伝送パターンが第１伝送パターンであるか又は第２伝送パターンであるかを示すことに用いられることと、
前記端末が前記第１伝送パターン又は前記第２伝送パターンで示す伝送リソースにおいて前記ネットワーク機器と前記伝送対象のＤＭＲＳの伝送を行うことと、を含むことを特徴とする参照信号の伝送方法。
【請求項２】
前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられることを特徴とする請求項１に記載の方法。
【請求項３】
前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きいことを特徴とする請求項１又は２に記載の方法。
【請求項４】
前記端末がネットワーク機器から送信された第１情報を受信することは、
前記端末が前記ネットワーク機器から送信された前記第１情報を受信することを含み、前記第１情報における第１フィールドは前記伝送対象のＤＭＲＳを伝送する際に用いた伝送パターンが前記第１伝送パターンであるか又は前記第２伝送パターンであるかを示すことに用いられることを特徴とする請求項１〜３のいずれか１項に記載の方法。
【請求項５】
前記端末がネットワーク機器から送信された第１情報を受信することは、
前記端末が前記ネットワーク機器から送信された前記第１情報を受信することを含み、前記第１情報は第２フィールドが含まれるかどうかによって前記伝送対象のＤＭＲＳを伝送する際に用いた伝送パターンが前記第１伝送パターンであるか又は前記第２伝送パターンであるかを示すことを特徴とする請求項１〜３のいずれか１項に記載の方法。
【請求項６】
前記第１情報がシステム情報、無線リソース制御ＲＲＣシグナリング、媒体アクセス制御ＭＡＣシグナリング及びダウンリンク制御情報ＤＣＩのうちの少なくとも１つであり、及び／又は
前記第１情報が物理層によって伝送されるブロードキャストメッセージに含まれることを特徴とする請求項１〜５のいずれか１項に記載の方法。
【請求項７】
前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられることを特徴とする請求項１〜６のいずれか１項に記載の方法。
【請求項８】
参照信号の伝送方法であって、
ネットワーク機器は第１情報を端末に送信し、前記第１情報は伝送対象の復調用参照信号ＤＭＲＳを伝送する際に用いた伝送パターンが第１伝送パターンであるか又は第２伝送パターンであるかを示すことに用いられることと、
前記ネットワーク機器が前記第１伝送パターン又は前記第２伝送パターンで示す伝送リソースにおいて前記端末へ前記伝送対象のＤＭＲＳを送信することと、を含むことを特徴とする参照信号の伝送方法。
【請求項９】
前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられることを特徴とする請求項８に記載の方法。
【請求項１０】
前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きいことを特徴とする請求項８又は９に記載の方法。
【請求項１１】
前記ネットワーク機器が端末へ第１情報を送信することは、
前記ネットワーク機器が前記端末へ前記第１情報を送信することを含み、前記第１情報における第１フィールドは前記伝送対象のＤＭＲＳを伝送する際に用いた伝送パターンが前記第１伝送パターンであるか又は前記第２伝送パターンであるかを示すことに用いられることを特徴とする請求項８〜１０のいずれか１項に記載の方法。
【請求項１２】
前記ネットワーク機器が端末へ第１情報を送信することは、
前記ネットワーク機器が前記端末へ前記第１情報を送信することを含み、前記第１情報は第２フィールドが含まれるかどうかによって前記伝送対象のＤＭＲＳを伝送する際に用いた伝送パターンが前記第１伝送パターンであるか又は前記第２伝送パターンであるかを示すことを特徴とする請求項８〜１０のいずれか１項に記載の方法。
【請求項１３】
前記方法は、更に、
前記ネットワーク機器が前記端末の通信状態情報を取得することと、
前記ネットワーク機器が、前記通信状態情報に基づき、前記伝送対象のＤＭＲＳを伝送する伝送パターンが前記第１伝送パターンであるか又は前記第２伝送パターンであるかを決定することと、を含むことを特徴とする請求項８〜１２のいずれか１項に記載の方法。
【請求項１４】
前記第１情報がシステム情報、無線リソース制御ＲＲＣシグナリング、媒体アクセス制御ＭＡＣシグナリング及びダウンリンク制御情報ＤＣＩのうちのいずれか１つであり、及び／又は
前記第１情報が物理層によって伝送されるブロードキャストメッセージに含まれることを特徴とする請求項８〜１３のいずれか１項に記載の方法。
【請求項１５】
前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられることを特徴とする請求項８〜１４のいずれか１項に記載の方法。
【請求項１６】
端末であって、
ネットワーク機器から送信された、伝送対象の復調用参照信号ＤＭＲＳを伝送する際に用いた伝送パターンが第１伝送パターンであるか又は第２伝送パターンであるかを示すための第１情報を受信するための受信ユニットと、
前記第１伝送パターン又は前記第２伝送パターンで示す伝送リソースにおいて前記ネットワーク機器と前記伝送対象のＤＭＲＳの伝送を行うための伝送ユニットと、を備えることを特徴とする端末。
【請求項１７】
前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられることを特徴とする請求項１６に記載の端末。
【請求項１８】
前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きいことを特徴とする請求項１６又は１７に記載の端末。
【請求項１９】
前記受信ユニットは、具体的に、
前記ネットワーク機器から送信された前記第１情報を受信することに用いられ、前記第１情報における第１フィールドは前記伝送対象のＤＭＲＳを伝送する際に用いた伝送パターンが前記第１伝送パターンであるか又は前記第２伝送パターンであるかを示すことに用いられることを特徴とする請求項１６〜１８のいずれか１項に記載の端末。
【請求項２０】
前記受信ユニットは、具体的に、
前記ネットワーク機器から送信された前記第１情報を受信することに用いられ、前記第１情報は第２フィールドが含まれるかどうかによって前記伝送対象のＤＭＲＳを伝送する際に用いた伝送パターンが前記第１伝送パターンであるか又は前記第２伝送パターンであるかを示すことを特徴とする請求項１６〜１８のいずれか１項に記載の端末。
【請求項２１】
前記第１情報がシステム情報、無線リソース制御ＲＲＣシグナリング、媒体アクセス制御ＭＡＣシグナリング及びダウンリンク制御情報ＤＣＩのうちのいずれか１つであり、及び／又は
前記第１情報が物理層によって伝送されるブロードキャストメッセージに含まれることを特徴とする請求項１６〜２０のいずれか１項に記載の端末。
【請求項２２】
前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられることを特徴とする請求項１６〜２１のいずれか１項に記載の端末。
【請求項２３】
ネットワーク機器であって、
伝送対象の復調用参照信号ＤＭＲＳを伝送する際に用いた伝送パターンが第１伝送パターンであるか又は第２伝送パターンであるかを示すための第１情報を端末に送信するための送信ユニットと、
前記第１伝送パターン又は前記第２伝送パターンで示す伝送リソースにおいて前記端末へ前記伝送対象のＤＭＲＳを送信するための伝送ユニットと、を備えることを特徴とするネットワーク機器。
【請求項２４】
前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられることを特徴とする請求項２３に記載のネットワーク機器。
【請求項２５】
前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きいことを特徴とする請求項２３又は２４に記載のネットワーク機器。
【請求項２６】
前記送信ユニットは、具体的に、
前記端末へ前記第１情報を送信することに用いられ、前記第１情報における第１フィールドは前記伝送対象のＤＭＲＳを伝送する際に用いた伝送パターンが前記第１伝送パターンであるか又は前記第２伝送パターンであるかを示すことに用いられることを特徴とする請求項２３〜２５のいずれか１項に記載のネットワーク機器。
【請求項２７】
前記送信ユニットは、具体的に、
前記端末へ前記第１情報を送信することに用いられ、前記第１情報は第２フィールドが含まれるかどうかによって前記伝送対象のＤＭＲＳを伝送する際に用いた伝送パターンが前記第１伝送パターンであるか又は前記第２伝送パターンであるかを示すことを特徴とする請求項２３〜２５のいずれか１項に記載のネットワーク機器。
【請求項２８】
前記ネットワーク機器は、更に、
前記端末の通信状態情報を取得するための取得ユニットと、
前記通信状態情報に基づき、前記伝送対象のＤＭＲＳを伝送する伝送パターンが前記第１伝送パターンであるか又は前記第２伝送パターンであるかを決定する決定ユニットと、を備えることを特徴とする請求項２３〜２７のいずれか１項に記載のネットワーク機器。
【請求項２９】
前記第１情報がシステム情報、無線リソース制御ＲＲＣシグナリング、媒体アクセス制御ＭＡＣシグナリング及びダウンリンク制御情報ＤＣＩのうちのいずれか１つであり、及び／又は
前記第１情報が物理層によって伝送されるブロードキャストメッセージに含まれることを特徴とする請求項２３〜２８のいずれか１項に記載のネットワーク機器。
【請求項３０】
前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられることを特徴とする請求項２３〜２９のいずれか１項に記載のネットワーク機器。
【発明の詳細な説明】
【技術分野】
【０００１】
本願は通信分野に関し、より具体的に、参照信号の伝送方法、端末及びネットワーク機器に関する。
【背景技術】
【０００２】
復調用参照信号（ＤＭＲＳ：Ｄｅ  Ｍｏｄｕｌａｔｉｏｎ  Ｒｅｆｅｒｅｎｃｅ  Ｓｉｇｎａｌ）はアップリンク伝送及びダウンリンク伝送に使用可能な参照信号である。端末とネットワーク機器とがアップリンク伝送を行うとき、ＤＲＭＳは一般的に物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）及び物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の送信に関連付けられ、アップリンクチャネルの推定、ネットワーク機器の関連検出及び復調に使用されている。端末とネットワーク機器とがダウンリンク伝送を行うとき、ＤＭＲＳが更にユーザー装置固有の参照信号（ＵＥ−ｓｐｅｃｉｆｉｃ  ＲＳ：Ｕｓｅｒ  Ｅｑｕｉｐｍｅｎｔ  ｓｐｅｃｉｆｉｃ  Ｒｅｆｅｒｅｎｃｅ  Ｓｉｇｎａｌ）と称され、データの復調に使用されている。
【０００３】
ところが、従来の通信システムにおいて、アップリンク伝送又はダウンリンク伝送において、上記ＤＭＲＳを伝送する際に用いた伝送リソースの位置が一定である。例えば、アップリンク伝送において、ＤＭＲＳを伝送するための伝送リソースが１つのスロットの中央に設定される。上記した一定の伝送リソースにおいてＤＭＲＳを伝送するような方式は柔軟性に欠けている。
【発明の概要】
【発明が解決しようとする課題】
【０００４】
ＤＭＲＳを伝送する柔軟性を向上させるために、本願は参照信号の伝送方法、端末及びネットワーク機器を提供する。
【課題を解決するための手段】
【０００５】
第１態様では、参照信号の伝送方法を提供し、端末はネットワーク機器から送信された第１情報を受信し、前記第１情報は伝送対象の復調用参照信号ＤＭＲＳを伝送する際に用いた伝送パターンが第１伝送パターンであるか又は第２伝送パターンであるかを示すことに用いられることと、前記端末が前記第１伝送パターン又は前記第２伝送パターンで示す伝送リソースにおいて前記ネットワーク機器と前記伝送対象のＤＭＲＳの伝送を行うことと、を含む。
【０００６】
第１情報で伝送対象のＤＭＲＳを伝送する伝送パターンを示すことにより、従来技術における一定のリソースのみにおいてＤＭＲＳを伝送できることを回避し、ＤＭＲＳを伝送する柔軟性の向上に役立つ。
【０００７】
第１態様を参照して、いくつかの実現方式では、前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられる。
【０００８】
チャネル推定精度の向上とＤＭＲＳを伝送するオーバーヘッドの節約とのバランスを維持するために、異なる伝送パターン（第１伝送パターン及び第２伝送パターン）で選択可能な参照信号を伝送するかどうかを示すことにより、ＤＭＲＳの伝送に異なる伝送方式を設定する。
【０００９】
第１態様を参照して、いくつかの実現方式では、前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きい。
【００１０】
チャネル推定精度の向上とＤＭＲＳを伝送するオーバーヘッドの節約とのバランスを維持するために、異なる伝送パターン（第１伝送パターン及び第２伝送パターン）で選択可能な参照信号を伝送するかどうかを示すことにより、ＤＭＲＳの伝送に異なる伝送方式を設定する。
【００１１】
第１態様を参照して、いくつかの実現方式では、前記端末がネットワーク機器から送信された第１情報を受信することは、前記端末が前記ネットワーク機器から送信された前記第１情報を受信することを含み、前記第１情報における第１フィールドは前記伝送対象のＤＭＲＳを伝送する際に用いた伝送パターンが前記第１伝送パターンであるか又は前記第２伝送パターンであるかを示すことに用いられる。
【００１２】
第１態様を参照して、いくつかの実現方式では、前記端末がネットワーク機器から送信された第１情報を受信することは、前記端末が前記ネットワーク機器から送信された前記第１情報を受信することを含み、前記第１情報は第２フィールドが含まれるかどうかによって前記伝送対象のＤＭＲＳを伝送する際に用いた伝送パターンが前記第１伝送パターンであるか又は前記第２伝送パターンであるかを示す。
【００１３】
第２フィールドが含まれるかどうかによって前記伝送対象のＤＭＲＳを伝送する際に用いた伝送パターンが前記第１伝送パターンであるか又は前記第２伝送パターンであるかを示すことは、伝送パターンを示すために引き起こしたシグナリングオーバーヘッドの節約に役立つ。
【００１４】
第１態様を参照して、いくつかの実現方式では、前記第１情報がシステム情報、無線リソース制御ＲＲＣシグナリング、媒体アクセス制御ＭＡＣシグナリング及びダウンリンク制御情報ＤＣＩのうちの少なくとも１つであり、及び／又は前記第１情報が物理層によって伝送されるブロードキャストメッセージに含まれる。
【００１５】
第１態様を参照して、いくつかの実現方式では、前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられる。
【００１６】
第２態様では、参照信号の伝送方法を提供し、ネットワーク機器は第１情報を端末に送信し、前記第１情報は伝送対象の復調用参照信号ＤＭＲＳを伝送する際に用いた伝送パターンが第１伝送パターンであるか又は第２伝送パターンであるかを示すことに用いられることと、前記ネットワーク機器が前記第１伝送パターン又は前記第２伝送パターンで示す伝送リソースにおいて前記端末へ前記伝送対象のＤＭＲＳを送信することと、を含む。
【００１７】
第１情報で伝送対象のＤＭＲＳを伝送する伝送パターンを示すことにより、従来技術における一定のリソースのみにおいてＤＭＲＳを伝送できることを回避し、ＤＭＲＳを伝送する柔軟性の向上に役立つ。
【００１８】
第２態様を参照して、いくつかの実現方式では、前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられる。
【００１９】
チャネル推定精度の向上とＤＭＲＳを伝送するオーバーヘッドの節約とのバランスを維持するために、異なる伝送パターン（第１伝送パターン及び第２伝送パターン）で選択可能な参照信号を伝送するかどうかを示すことにより、ＤＭＲＳの伝送に異なる伝送方式を設定する。
【００２０】
第２態様を参照して、いくつかの実現方式では、前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きい。
【００２１】
第２態様を参照して、いくつかの実現方式では、前記ネットワーク機器が端末へ第１情報を送信することは、前記ネットワーク機器が前記端末へ前記第１情報を送信することを含み、前記第１情報における第１フィールドは前記伝送対象のＤＭＲＳを伝送する際に用いた伝送パターンが前記第１伝送パターンであるか又は前記第２伝送パターンであるかを示すことに用いられる。
【００２２】
第２態様を参照して、いくつかの実現方式では、前記ネットワーク機器が端末へ第１情報を送信することは、前記ネットワーク機器が前記端末へ前記第１情報を送信することを含み、前記第１情報は第２フィールドが含まれるかどうかによって前記伝送対象のＤＭＲＳを伝送する際に用いた伝送パターンが前記第１伝送パターンであるか又は前記第２伝送パターンであるかを示す。
【００２３】
第２フィールドが含まれるかどうかによって前記伝送対象のＤＭＲＳを伝送する際に用いた伝送パターンが前記第１伝送パターンであるか又は前記第２伝送パターンであるかを示すことは、伝送パターンを示すために引き起こしたシグナリングオーバーヘッドの節約に役立つ。
【００２４】
第２態様を参照して、いくつかの実現方式では、前記方法は、更に、前記ネットワーク機器が前記端末の通信状態情報を取得することと、前記ネットワーク機器が、前記通信状態情報に基づき、前記伝送対象のＤＭＲＳを伝送する伝送パターンが前記第１伝送パターンであるか又は前記第２伝送パターンであるかを決定することと、を含む。
【００２５】
第２態様を参照して、いくつかの実現方式では、前記第１情報がシステム情報、無線リソース制御ＲＲＣシグナリング、媒体アクセス制御ＭＡＣシグナリング及びダウンリンク制御情報ＤＣＩのうちのいずれか１つであり、及び／又は前記第１情報が物理層によって伝送されるブロードキャストメッセージに含まれる。
【００２６】
第２態様を参照して、いくつかの実現方式では、前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられる。
【００２７】
第３態様では、端末を提供し、前記端末は第１態様における方法を実行するためのユニットを備える。
【００２８】
第４態様では、ネットワーク機器を提供し、前記ネットワーク機器は第２態様における方法を実行するためのユニットを備える。
【００２９】
第５態様では、端末を提供し、前記端末はメモリ、プロセッサ、入力／出力インターフェース及び通信インターフェースを備える。メモリ、プロセッサ、入力／出力インターフェース及び通信インターフェースが通信接続され、該メモリが命令を記憶することに用いられ、該プロセッサが該メモリに記憶される命令を実行することに用いられ、前記命令が実行されるとき、前記プロセッサは前記通信インターフェースを介して第１態様の方法を実行して、入力／出力インターフェースが入力されたデータ及び情報を受信し、操作結果等のデータを出力するように制御する。
【００３０】
第６態様では、ネットワーク機器を提供し、前記ネットワーク機器はメモリ、プロセッサ、入力／出力インターフェース及び通信インターフェースを備える。メモリ、プロセッサ、入力／出力インターフェース及び通信インターフェースが通信接続され、該メモリが命令を記憶することに用いられ、該プロセッサが該メモリに記憶される命令を実行することに用いられ、前記命令が実行されるとき、前記プロセッサは前記通信インターフェースを介して第２態様の方法を実行して、入力／出力インターフェースが入力されたデータ及び情報を受信し、操作結果等のデータを出力するように制御する。
【００３１】
第７態様では、コンピュータ可読媒体を提供し、前記コンピュータ可読媒体には端末装置が実行するためのプログラムコードが記憶され、前記プログラムコードは第１態様における方法を実行するための命令を含む。
【００３２】
第８態様では、命令を含むコンピュータプログラム製品を提供し、コンピュータにおいて実行されるとき、コンピュータが上記各態様に記載の方法を実行する。
【図面の簡単な説明】
【００３３】
【図１】図１は本願の実施例に適用される無線通信システム１００を示す図である。
【図２】図２は本願の実施例の参照信号の伝送方法の模式的なフローチャートである。
【図３】図３は本願の他の実施例に係る参照信号の伝送方法の模式的なフローチャートである。
【図４】図４は本願の実施例の端末の構造模式図である。
【図５】図５は本願の実施例のネットワーク機器の構造模式図である。
【図６】図６は本願の他の実施例に係る端末の模式的なブロック図である。
【図７】図７は本願の他の実施例に係るネットワーク機器の模式的なブロック図である。
【発明を実施するための形態】
【００３４】
以下、図面を参照しながら、本願の技術案を説明する。
【００３５】
図１は本願の実施例に適用される無線通信システム１００を示す図である。該無線通信システム１００はネットワーク機器１１０を備えてもよい。ネットワーク機器１１０は端末装置と通信する装置であってもよい。ネットワーク機器１００は特定の地理的領域に通信カバレッジを提供することができ、且つ該カバレッジ領域内の端末装置と通信することができる。
【００３６】
図１には１つのネットワーク機器及び２つの端末を例示的に示し、選択肢として、該無線通信システム１００は複数のネットワーク機器を備えてもよく、且つ各ネットワーク機器のカバレッジ範囲内には他の数の端末が含まれてもよく、本願の実施例は制限しない。
【００３７】
選択肢として、該無線通信システム１００は更にネットワーク制御装置、モビリティ管理エンティティ等の他のネットワークエンティティを備えてもよく、本願の実施例は制限しない。
【００３８】
本願の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ロングタームエボリューションアドバンスド（ＬＴＥ−Ａ：Ａｄｖａｎｃｅｄ  ｌｏｎｇ  ｔｅｒｍ  ｅｖｏｌｕｔｉｏｎ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、新無線インターフェース（ＮＲ：Ｎｅｗ  Ｒａｄｉｏ  Ａｃｃｅｓｓ  Ｔｅｃｈｎｏｌｏｇｙ）、５Ｇ等に適用されてもよいと理解すべきである。
【００３９】
本願の実施例では、端末装置は移動局（ＭＳ：Ｍｏｂｉｌｅ  Ｓｔａｔｉｏｎ）、モバイル端末（Ｍｏｂｉｌｅ  Ｔｅｒｍｉｎａｌ）、携帯電話（Ｍｏｂｉｌｅ  Ｔｅｌｅｐｈｏｎｅ）、ユーザー装置（ＵＥ：Ｕｓｅｒ  Ｅｑｕｉｐｍｅｎｔ）、ハンドセット（ｈａｎｄｓｅｔ）及び携帯機器（ｐｏｒｔａｂｌｅ  ｅｑｕｉｐｍｅｎｔ）等を含んでもよいが、それらに限らず、該端末装置は無線アクセスネットワーク（ＲＡＮ：Ｒａｄｉｏ  Ａｃｃｅｓｓ  Ｎｅｔｗｏｒｋ）経由で１つ又は複数のコアネットワークと通信することができ、例えば、端末装置は携帯電話（セルラー方式の電話とも称される）、無線通信機能を有するコンピュータ等であってもよいし、ポータブル、ポケットサイズ、手持ち式、コンピュータが内蔵された又は車載のモバイルデバイスであってもよいと更に理解すべきである。
【００４０】
本願の実施例では、ネットワーク機器はアクセスネットワーク機器であってもよく、例えば基地局、送受信ポイント（ＴＲＰ：Ｔｒａｎｓｍｉｔ  ａｎｄ  Ｒｅｃｅｉｖｅ  Ｐｏｉｎｔ）又はアクセスポイントであってもよく、基地局はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡにおける基地局（ＮｏｄｅＢ）であってもよく、更にＬＴＥにおける発展型基地局（ｅＮＢ又はｅ−ＮｏｄｅＢ：ｅｖｏｌｖｅｄ  Ｎｏｄｅ  Ｂ）であってもよく、更にＮＲ又は５Ｇの基地局（ｇＮＢ）であってもよく、本願の実施例は具体的に制限しない。
【００４１】
従来の通信システムにおいて、ＤＭＲＳが一定の伝送リソースにおいて伝送されるため、高速で移動する端末に対して、ＤＭＲＳを伝送する柔軟性を制限するとともに、チャネル推定結果の精度を向上できない。高速で移動する端末に対して、端末の移動速度の増加に伴って、チャネルの変化速度も増加し、依然として上記した一定の伝送リソースにおいてＤＭＲＳを伝送する方式でチャネルをリアルタイムに推定すれば、チャネルの推定結果の誤差が大きくなり、チャネル推定精度が低下してしまう。
【００４２】
従来の通信システムにおけるＤＭＲＳを伝送する際の上記問題を解決するために、将来の通信システム（例えば、５Ｇ通信システム）において、チャネル推定精度を向上させるために、従来の通信システムにおけるＤＭＲＳの伝送方式に基づき、選択可能な参照信号を伝送し続けてもよい。
【００４３】
従って、将来の通信システムにおいて、ＤＭＲＳの伝送方式が大体２つに分けられる。
【００４４】
伝送方式１
第１種類のＤＭＲＳのみを伝送する。一般的に、第１種類のＤＭＲＳは通常のシーン（例えば、屋内にある端末、又は都市道路を移動している端末）において、チャネルを効果的に推定することができる。第１種類のＤＭＲＳを伝送するとき、従来の通信システムにおけるＤＭＲＳを伝送する方式を用い、つまり、１つの時間領域伝送ユニット（例えば、１つのスロット）における中央のＯＦＤＭシンボルの伝送リソースにおいてＤＭＲＳを伝送してもよいし、１つの時間領域伝送ユニット（例えば、１つのスロット）における前部のＯＦＤＭシンボル（例えば、１つのスロットにおける１番目のＯＦＤＭシンボル）においてＤＭＲＳを伝送してもよい。
【００４５】
伝送方式２
第１種類のＤＭＲＳ及び選択可能な参照信号を伝送する。高速で移動する端末のシーンにおけるチャネル推定精度を向上させるために、第１種類のＤＭＲＳを伝送するとともに、選択可能な参照信号（すなわち、選択可能な参照信号）を伝送し、１つの時間領域伝送ユニットにおいて参照信号を送信する密度を増加させることにより、チャネル推定精度を向上させる。例えば、第１種類のＤＭＲＳを伝送する際に用いた伝送リソースが１つの時間領域伝送ユニット（例えば、１つのスロット）における１番目のＯＦＤＭシンボルに位置してもよい場合、上記選択可能な参照信号を伝送する伝送リソースが該時間領域伝送ユニットにおける２番目のＯＦＤＭシンボルに位置してもよい。
【００４６】
なお、上記選択可能な参照信号が更に追加の参照信号（Ａｄｄｉｔｉｏｎａｌ  ＲＳ：Ａｄｄｉｔｉｏｎａｌ  Ｒｅｆｅｒｅｎｃｅ  Ｓｉｇｎａｌ）と称される。本願の実施例は具体的に制限しない。
【００４７】
以下、図２を参照しながら本願の実施例の参照信号の伝送方法を詳しく説明する。図２は本願の実施例の参照信号の伝送方法の模式的なフローチャートであり、図２に示される方法は以下の２１０と２２０を含む。
【００４８】
２１０、端末はネットワーク機器から送信された第１情報を受信し、前記第１情報は伝送対象の復調用参照信号ＤＭＲＳを伝送する際に用いた伝送パターンが第１伝送パターンであるか又は第２伝送パターンであるかを示すことに用いられる。
【００４９】
具体的に、上記選択可能な参照信号は端末とネットワーク機器との間に伝送されている参照信号であってもよいし、伝送されていない参照信号であってもよいと理解されてもよい。
【００５０】
なお、上記選択可能な参照信号がＤＭＲＳであってもよい。
【００５１】
なお、上記第１伝送パターン及び第２伝送パターンは独立した伝送パターンであってもよく、第１伝送パターン及び第２伝送パターンはそれぞれ異なる状況に適用され、例えば、第１伝送パターンは以上の伝送方式２の応用状況、例えば、高移動性の端末とネットワーク機器とがＤＭＲＳを伝送し、つまり、チャネル推定を行う難度がより大きい状況に適用されてもよく、第２伝送パターンは以上の伝送方式１の応用状況、例えば、屋内にある端末又は都市道路を移動している端末、つまり、チャネル推定を行う難度がより小さい状況に適用されてもよい。
【００５２】
選択肢として、前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられる。
【００５３】
具体的に、上記第１伝送パターンは第２伝送パターンに選択可能な参照信号を伝送するための伝送リソースを追加した伝送パターンであってもよく、つまり、第１伝送パターンは第２伝送パターンに選択可能な参照信号を伝送するための伝送リソースを追加したものであってもよい。
【００５４】
チャネル推定精度の向上とＤＭＲＳを伝送するオーバーヘッドの節約とのバランスを維持するために、異なる伝送パターン（第１伝送パターン及び第２伝送パターン）で選択可能な参照信号を伝送するかどうかを示すことにより、ＤＭＲＳの伝送に異なる伝送方式を設定する。
【００５５】
選択肢として、前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きく、交換可能的に、第１伝送パターンで示す伝送ユニットにおいて前記伝送対象のＤＭＲＳを伝送する際に用いた伝送リソースの密度が、前記第２伝送パターンで示す伝送ユニットにおいて前記伝送対象のＤＭＲＳを伝送する際に用いた伝送リソースの密度より大きい。
【００５６】
選択肢として、ネットワーク機器は端末の通信状態情報に基づいて伝送対象のＤＭＲＳを伝送する伝送パターンが第１伝送パターンであるか又は第２伝送パターンであるかを決定することができ、つまり、ネットワーク機器は端末の通信状態情報に基づいて伝送対象のＤＭＲＳに選択可能な参照信号が含まれるかどうかを決定することができる。
【００５７】
選択肢として、上記通信状態情報は端末とネットワーク機器との通信品質に影響を与える情報であってもよく、例えば端末の移動速度、端末の位置情報等であってもよい。
【００５８】
２２０、前記端末が前記第１伝送パターン又は前記第２伝送パターンで示す伝送リソースにおいて前記ネットワーク機器と前記伝送対象のＤＭＲＳの伝送を行う。
【００５９】
具体的に、ステップ２２０は、端末が第１伝送パターン又は第２伝送パターンで示す伝送リソースにおいてネットワーク機器へ伝送対象のＤＭＲＳを送信することを含んでもよく、つまり、伝送対象のＤＭＲＳがアップリンク伝送に使用される参照信号である。
【００６０】
ステップ２２０は、更に、端末が第１伝送パターン又は第２伝送パターンで示す伝送リソースにおいてネットワーク機器から送信された伝送対象のＤＭＲＳを受信することを含んでもよく、つまり、伝送対象のＤＭＲＳがダウンリンク伝送に使用される参照信号である。
【００６１】
第１情報で伝送対象のＤＭＲＳを伝送する伝送パターンを示すことにより、従来技術における一定のリソースのみにおいてＤＭＲＳを伝送できることを回避し、ＤＭＲＳを伝送する柔軟性の向上に役立つ。
【００６２】
選択肢として、一実施例として、前記端末がネットワーク機器から送信された第１情報を受信することは、前記端末が前記ネットワーク機器から送信された前記第１情報を受信することを含み、前記第１情報における第１フィールドは前記伝送対象のＤＭＲＳを伝送する際に用いた伝送パターンが前記第１伝送パターンであるか又は前記第２伝送パターンであるかを示すことに用いられる。
【００６３】
具体的に、第１情報は第１フィールドの値で伝送対象のＤＭＲＳを伝送する際に用いた伝送パターンが第１伝送パターンであるか又は第２伝送パターンであるかを示してもよい。
【００６４】
例えば、第１フィールドが１ビット（ｂｉｔ）であり、第１フィールドの値が１である場合、伝送対象のＤＭＲＳを伝送する際に用いた伝送パターンが第１伝送パターンであることを示すことに用いられてもよく、第１フィールドの値が０である場合、伝送対象のＤＭＲＳを伝送する際に用いた伝送パターンが第２伝送パターンであることを示すことに用いられてもよい。
【００６５】
更に、例えば、第１フィールドが１ｂｉｔであり、第１フィールドの値が０である場合、伝送対象のＤＭＲＳを伝送する際に用いた伝送パターンが第１伝送パターンであることを示すことに用いられてもよく、第１フィールドの値が１である場合、伝送対象のＤＭＲＳを伝送する際に用いた伝送パターンが第２伝送パターンであることを示すことに用いられてもよい。
【００６６】
選択肢として、一実施例として、前記端末がネットワーク機器から送信された第１情報を受信することは、前記端末が前記ネットワーク機器から送信された前記第１情報を受信することを含み、前記第１情報は第２フィールドが含まれるかどうかによって前記伝送対象のＤＭＲＳを伝送する際に用いた伝送パターンが前記第１伝送パターンであるか又は前記第２伝送パターンであるかを示す。
【００６７】
具体的に、上記第２フィールドは第１情報における選択可能なフィールドであってもよく、第１情報は選択可能なフィールドが含まれるかどうかによって伝送対象のＤＭＲＳを伝送する際に用いた伝送パターンが第１伝送パターンであるか又は第２伝送パターンであるかを示してもよい。
【００６８】
例えば、第１情報に第２フィールドが含まれることは伝送対象のＤＭＲＳを伝送する際に用いた伝送パターンが第１伝送パターンであることを示すことに用いられてもよく、第１情報に第２フィールドが含まれないことは伝送対象のＤＭＲＳを伝送する際に用いた伝送パターンが第２伝送パターンであることを示すことに用いられてもよい。
【００６９】
更に、例えば、第１情報に第２フィールドが含まれないことは伝送対象のＤＭＲＳを伝送する際に用いた伝送パターンが第１伝送パターンであることを示すことに用いられてもよく、第１情報に第２フィールドが含まれることは伝送対象のＤＭＲＳを伝送する際に用いた伝送パターンが第２伝送パターンであることを示すことに用いられてもよい。
【００７０】
選択肢として、一実施例として、前記第１情報がシステム情報、無線リソース制御（ＲＲＣ：Ｒａｄｉｏ  Ｒｅｓｏｕｒｃｅ  Ｃｏｎｔｒｏｌ）シグナリング、媒体アクセス制御（ＭＡＣ：Ｍｅｄｉａ  Ａｃｃｅｓｓ  Ｃｏｎｔｒｏｌ）シグナリング及びダウンリンク制御情報（ＤＣＩ：Ｄｏｗｎｌｉｎｋ  Ｃｏｎｔｒｏｌ  Ｉｎｆｏｒｍａｔｉｏｎ）のうちのいずれか１つであり、及び／又は前記第１情報が物理層によって伝送されるブロードキャストメッセージに含まれる。
【００７１】
なお、第１情報がシステム情報である場合、第１情報で示すＤＭＲＳを伝送する伝送パターンは第１情報の後で伝送したＤＭＲＳの伝送パターンを示すことに用いられてもよい。
【００７２】
第１情報がＲＲＣシグナリング、ＭＡＣシグナリング又はＤＣＩである場合、端末は電源を入れて新規登録する際にネットワークにアクセスする必要があり、その後、端末はアイドル状態に切り替えてページングメッセージを受信してもよく、従って、上記情報でページングメッセージを伝送するとともにＤＭＲＳを伝送する際に用いた伝送パターンを示してもよい。
【００７３】
選択肢として、上記システム情報は端末がネットワークにアクセスするために不可欠なシステム情報（ｒｅｍａｉｎｉｎｇ  ｍｉｎｉｍｕｍ  ｓｙｓｔｅｍ  ｉｎｆｏｒｍａｔｉｏｎ）のうちの少なくとも１つであってもよい。
【００７４】
第１情報は更に将来の通信システムにおけるシステム情報と作用が同じである情報であってもよく、例えば、セルにアクセスするための情報、すなわちセル選択情報、周波数帯域指示、システム情報変更ラベル等であってもよいし、アクセス制限情報、すなわち共通の無線リソース設定、周波数情報、端末がアップリンククロックにおいて同期するように制御する時間長等であってもよく、更に共通セルの再選択情報等であってもよいと理解すべきである。本願の実施例は具体的に制限しない。
【００７５】
選択肢として、一実施例として、前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられる。
【００７６】
具体的に、前記指示情報はシステム情報の少なくとも一部の内容を示すことに用いられ、つまり、該指示情報は将来の通信システムにおけるシステム情報と作用が同じである情報、例えばシステム情報ブロック１（ＳＩＢ１：Ｓｙｓｔｅｍ  ｉｎｆｏｒｍａｔｉｏｎ  ｂｌｏｃｋ）と作用が同じである情報であってもよく、前記端末が前記ネットワーク機器にアクセスすることを補助することに用いられる。
【００７７】
図３は本願の他の実施例に係る参照信号の伝送方法の模式的なフローチャートである。図３に示される方法は、
ネットワーク機器が第１情報を端末に送信し、前記第１情報は伝送対象の復調用参照信号ＤＭＲＳを伝送する際に用いた伝送パターンが第１伝送パターンであるか又は第２伝送パターンであるかを示すことに用いられる３１０と、
前記ネットワーク機器が前記第１伝送パターン又は前記第２伝送パターンで示す伝送リソースにおいて前記端末へ前記伝送対象のＤＭＲＳを送信する３２０と、を含む。
【００７８】
選択肢として、一実施例として、前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられる。
【００７９】
選択肢として、一実施例として、前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きい。
【００８０】
選択肢として、一実施例として、前記ネットワーク機器が端末へ第１情報を送信することは、前記ネットワーク機器が前記端末へ前記第１情報を送信することを含み、前記第１情報における第１フィールドは前記伝送対象のＤＭＲＳを伝送する際に用いた伝送パターンが前記第１伝送パターンであるか又は前記第２伝送パターンであるかを示すことに用いられる。
【００８１】
選択肢として、一実施例として、前記ネットワーク機器が端末へ第１情報を送信することは、前記ネットワーク機器が前記端末へ前記第１情報を送信することを含み、前記第１情報は第２フィールドが含まれるかどうかによって前記伝送対象のＤＭＲＳを伝送する際に用いた伝送パターンが前記第１伝送パターンであるか又は前記第２伝送パターンであるかを示す。
【００８２】
選択肢として、一実施例として、前記方法は、更に、前記ネットワーク機器が前記端末の通信状態情報を取得することと、前記ネットワーク機器が、前記通信状態情報に基づき、前記伝送対象のＤＭＲＳに前記選択可能な参照信号が含まれるかどうかを決定することと、を含む。
【００８３】
選択肢として、一実施例として、前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられる。
【００８４】
以上は図１〜図３を参照しながら本願の実施例の参照信号の伝送方法を詳しく説明したが、以下に図４〜図７を参照しながら本願の実施例の装置を詳しく説明する。図４〜図７に示される装置は図２における各ステップを実現することができ、重複を避けるため、ここで詳細な説明は省略すると理解すべきである。
【００８５】
図４は本願の実施例の端末の構造模式図である。図４に示される端末４００は、
ネットワーク機器から送信された、伝送対象の復調用参照信号ＤＭＲＳを伝送する際に用いた伝送パターンが第１伝送パターンであるか又は第２伝送パターンであるかを示すための第１情報を受信するための受信ユニット４１０と、
前記第１伝送パターン又は前記第２伝送パターンで示す伝送リソースにおいて前記ネットワーク機器と前記伝送対象のＤＭＲＳの伝送を行うための伝送ユニット４２０と、を備える。
【００８６】
選択肢として、一実施例として、前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられる。
【００８７】
選択肢として、一実施例として、前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きい。
【００８８】
選択肢として、一実施例として、前記受信ユニットは、具体的に、前記ネットワーク機器から送信された前記第１情報を受信することに用いられ、前記第１情報における第１フィールドは前記伝送対象のＤＭＲＳを伝送する際に用いた伝送パターンが前記第１伝送パターンであるか又は前記第２伝送パターンであるかを示すことに用いられる。
【００８９】
選択肢として、一実施例として、前記受信ユニットは、具体的に、前記ネットワーク機器から送信された前記第１情報を受信することに用いられ、前記第１情報は第２フィールドが含まれるかどうかによって前記伝送対象のＤＭＲＳを伝送する際に用いた伝送パターンが前記第１伝送パターンであるか又は前記第２伝送パターンであるかを示す。
【００９０】
選択肢として、一実施例として、前記第１情報がシステム情報、無線リソース制御ＲＲＣシグナリング、媒体アクセス制御ＭＡＣシグナリング及びダウンリンク制御情報ＤＣＩのうちのいずれか１つであり、及び／又は前記第１情報が物理層によって伝送されるブロードキャストメッセージに含まれる。
【００９１】
選択肢として、一実施例として、前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられる。
【００９２】
図５は本願の実施例のネットワーク機器の構造模式図である。図５に示されるネットワーク機器５００は、
伝送対象の復調用参照信号ＤＭＲＳを伝送する際に用いた伝送パターンが第１伝送パターンであるか又は第２伝送パターンであるかを示すための第１情報を端末に送信するための送信ユニット５１０と、
前記第１伝送パターン又は前記第２伝送パターンで示す伝送リソースにおいて前記端末へ前記伝送対象のＤＭＲＳを送信するための伝送ユニット５２０と、を備える。
【００９３】
選択肢として、一実施例として、前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられる。
【００９４】
選択肢として、一実施例として、前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きい。
【００９５】
選択肢として、一実施例として、前記送信ユニットは、具体的に、前記端末へ前記第１情報を送信することに用いられ、前記第１情報における第１フィールドは前記伝送対象のＤＭＲＳを伝送する際に用いた伝送パターンが前記第１伝送パターンであるか又は前記第２伝送パターンであるかを示すことに用いられる。
【００９６】
選択肢として、一実施例として、前記送信ユニットは、具体的に、前記端末へ前記第１情報を送信することに用いられ、前記第１情報は第２フィールドが含まれるかどうかによって前記伝送対象のＤＭＲＳを伝送する際に用いた伝送パターンが前記第１伝送パターンであるか又は前記第２伝送パターンであるかを示す。
【００９７】
選択肢として、一実施例として、前記ネットワーク機器は、更に、前記端末の通信状態情報を取得するための取得ユニットと、前記通信状態情報に基づき、前記伝送対象のＤＭＲＳを伝送する伝送パターンが前記第１伝送パターンであるか又は前記第２伝送パターンであるかを決定する決定ユニットと、を備える。
【００９８】
選択肢として、一実施例として、前記第１情報がシステム情報、無線リソース制御ＲＲＣシグナリング、媒体アクセス制御ＭＡＣシグナリング及びダウンリンク制御情報ＤＣＩのうちのいずれか１つであり、及び／又は前記第１情報が物理層によって伝送されるブロードキャストメッセージに含まれる。
【００９９】
選択肢として、一実施例として、前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられる。
【０１００】
図６は本願の他の実施例に係る端末の模式的なブロック図である。図６に示される端末６００はメモリ６１０、プロセッサ６２０、入力／出力インターフェース６３０及び通信インターフェース６４０を備える。メモリ６１０、プロセッサ６２０、入力／出力インターフェース６３０及び通信インターフェース６４０が通信接続され、該メモリ６１０が命令を記憶することに用いられ、入力／出力インターフェース６３０が入力されたデータ及び情報を受信し、操作結果等のデータを出力するように制御して、通信インターフェース６４０が信号を送信するように制御するために、該プロセッサ６２０が該メモリ６１０に記憶される命令を実行することに用いられる。
【０１０１】
通信インターフェース６４０は、ネットワーク機器から送信された、伝送対象の復調用参照信号ＤＭＲＳを伝送する際に用いた伝送パターンが第１伝送パターンであるか又は第２伝送パターンであるかを示すための第１情報を受信することに用いられ、
前記通信インターフェース６４０は、更に、前記第１伝送パターン又は前記第２伝送パターンで示す伝送リソースにおいて前記ネットワーク機器と前記伝送対象のＤＭＲＳの伝送を行うことに用いられる。
【０１０２】
本発明の実施例では、本発明の実施例に係る技術案を実現するために、該プロセッサ６２０は関連プログラムを実行するために汎用の中央処理装置（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は、１つ又は複数の集積回路を用いてもよいと理解すべきである。
【０１０３】
モバイル端末６００と他の装置又は通信ネットワークとの通信を実現するために、通信インターフェース６４０は例えば送受信機のような送受信装置を用いるが、それに限らないと更に理解すべきである。
【０１０４】
該メモリ６１０は読み出し専用メモリ及びランダムアクセスメモリを含んでもよく、且つプロセッサ６２０に命令及びデータを提供する。プロセッサ６２０の一部は更に不揮発性ランダムアクセスメモリを含んでもよい。例えば、プロセッサ６２０に更に装置タイプの情報が記憶されてもよい。
【０１０５】
実現過程において、上記方法の各ステップはプロセッサ６２０におけるハードウェアの集積論理回路又はソフトウェア形式の命令で完了してもよい。本発明の実施例に開示される参照信号の伝送方法はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ６１０に位置し、プロセッサ６２０がメモリ６１０における情報を読み取り、そのハードウェアと組み合わせて上記方法のステップを完了する。重複を避けるため、ここで詳細な説明は省略する。
【０１０６】
選択肢として、一実施例として、前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられる。
【０１０７】
選択肢として、一実施例として、前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きい。
【０１０８】
選択肢として、一実施例として、前記通信インターフェースは、具体的に、前記ネットワーク機器から送信された前記第１情報を受信することに用いられ、前記第１情報における第１フィールドは前記伝送対象のＤＭＲＳを伝送する際に用いた伝送パターンが前記第１伝送パターンであるか又は前記第２伝送パターンであるかを示すことに用いられる。
【０１０９】
選択肢として、一実施例として、前記通信インターフェースは、具体的に、前記ネットワーク機器から送信された前記第１情報を受信することに用いられ、前記第１情報は第２フィールドが含まれるかどうかによって前記伝送対象のＤＭＲＳを伝送する際に用いた伝送パターンが前記第１伝送パターンであるか又は前記第２伝送パターンであるかを示す。
【０１１０】
選択肢として、一実施例として、前記第１情報がシステム情報、無線リソース制御ＲＲＣシグナリング、媒体アクセス制御ＭＡＣシグナリング及びダウンリンク制御情報ＤＣＩのうちのいずれか１つであり、及び／又は前記第１情報が物理層によって伝送されるブロードキャストメッセージに含まれる。
【０１１１】
選択肢として、一実施例として、前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられる。
【０１１２】
図７は本願の他の実施例に係るネットワーク機器の模式的なブロック図である。図７に示されるネットワーク機器７００はメモリ７１０、プロセッサ７２０、入力／出力インターフェース７３０及び通信インターフェース７４０を備える。メモリ７１０、プロセッサ７２０、入力／出力インターフェース７３０及び通信インターフェース７４０が通信接続され、該メモリ７１０が命令を記憶することに用いられ、入力／出力インターフェース７３０が入力されたデータ及び情報を受信し、操作結果等のデータを出力するように制御して、通信インターフェース７４０が信号を送信するように制御するために、該プロセッサ７２０が該メモリ７１０に記憶される命令を実行することに用いられる。
【０１１３】
通信インターフェース７４０は、伝送対象の復調用参照信号ＤＭＲＳを伝送する際に用いた伝送パターンが第１伝送パターンであるか又は第２伝送パターンであるかを示すための第１情報を端末に送信することに用いられ、
前記通信インターフェース７４０は、更に、前記第１伝送パターン又は前記第２伝送パターンで示す伝送リソースにおいて前記端末へ前記伝送対象のＤＭＲＳを送信することに用いられる。
【０１１４】
本発明の実施例では、本発明の実施例に係る技術案を実現するために、該プロセッサ７２０は関連プログラムを実行するために汎用の中央処理装置（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は、１つ又は複数の集積回路を用いてもよいと理解すべきである。
【０１１５】
モバイル端末７００と他の装置又は通信ネットワークとの通信を実現するために、通信インターフェース７４０は例えば送受信機のような送受信装置を用いるが、それに限らないと更に理解すべきである。
【０１１６】
該メモリ７１０は読み出し専用メモリ及びランダムアクセスメモリを含んでもよく、且つプロセッサ７２０に命令及びデータを提供する。プロセッサ７２０の一部は更に不揮発性ランダムアクセスメモリを含んでもよい。例えば、プロセッサ７２０に更に装置タイプの情報が記憶されてもよい。
【０１１７】
実現過程において、上記方法の各ステップはプロセッサ７２０におけるハードウェアの集積論理回路又はソフトウェア形式の命令で完了してもよい。本発明の実施例に開示される参照信号の伝送方法はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ７１０に位置し、プロセッサ７２０がメモリ７１０における情報を読み取り、そのハードウェアと組み合わせて上記方法のステップを完了する。重複を避けるため、ここで詳細な説明は省略する。
【０１１８】
選択肢として、一実施例として、前記第１伝送パターンは前記伝送対象のＤＭＲＳに選択可能な参照信号が含まれることを示すことに用いられ、前記第２伝送パターンは前記伝送対象のＤＭＲＳに前記選択可能な参照信号が含まれないことを示すことに用いられる。
【０１１９】
選択肢として、一実施例として、前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きい。
【０１２０】
選択肢として、一実施例として、前記通信インターフェースは、具体的に、前記端末へ前記第１情報を送信することに用いられ、前記第１情報における第１フィールドは前記伝送対象のＤＭＲＳを伝送する際に用いた伝送パターンが前記第１伝送パターンであるか又は前記第２伝送パターンであるかを示すことに用いられる。
【０１２１】
選択肢として、一実施例として、前記通信インターフェースは、具体的に、前記端末へ前記第１情報を送信することに用いられ、前記第１情報は第２フィールドが含まれるかどうかによって前記伝送対象のＤＭＲＳを伝送する際に用いた伝送パターンが前記第１伝送パターンであるか又は前記第２伝送パターンであるかを示す。
【０１２２】
選択肢として、一実施例として、前記入力／出力インターフェースは前記端末の通信状態情報を取得することに用いられ、プロセッサは前記通信状態情報に基づき、前記伝送対象のＤＭＲＳを伝送する伝送パターンが前記第１伝送パターンであるか又は前記第２伝送パターンであるかを決定する。
【０１２３】
選択肢として、一実施例として、前記第１情報がシステム情報、無線リソース制御ＲＲＣシグナリング、媒体アクセス制御ＭＡＣシグナリング及びダウンリンク制御情報ＤＣＩのうちのいずれか１つであり、及び／又は前記第１情報が物理層によって伝送されるブロードキャストメッセージに含まれる。
【０１２４】
選択肢として、一実施例として、前記伝送対象のＤＭＲＳが第１チャネルを復調することに用いられ、前記第１チャネルがページングメッセージ及び指示情報のうちの少なくとも１つを伝送することに用いられ、前記指示情報がシステム情報の少なくとも一部の内容を示すことに用いられる。
【０１２５】
本願の実施例では、「Ａに対応するＢ」はＢがＡに関連付けられており、Ａに基づいてＢを決定することができることを示すと理解すべきである。しかしながら、Ａに基づいてＢを決定することとはＡのみに基づいてＢを決定することを意味せず、更にＡ及び／又は他の情報に基づいてＢを決定してもよいことを意味すると更に理解すべきである。
【０１２６】
本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよいと理解すべきである。また、本明細書における文字「／」は一般的に前後関連オブジェクトが「又は」関係であることを示す。
【０１２７】
本願の様々な実施例では、上記各過程の番号の順位は実行順序の前後を意味せず、各過程の実行順序はその機能及び内部論理によって決定されるべきであり、本願の実施例の実施過程を制限するためのものではないと理解すべきである。
【０１２８】
本願に係るいくつかの実施例では、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１２９】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１３０】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１３１】
上記実施例では、ソフトウェア、ハードウェア、ファームウェア又はそれらの任意の組み合わせで全体的又は部分的に実現されてもよい。ソフトウェアで実現されるとき、コンピュータプログラム製品の形式で全体的又は部分的に実現されてもよい。前記コンピュータプログラム製品は１つ又は複数のコンピュータ命令を含む。コンピュータにおいて前記コンピュータプログラム命令をロード・実行するとき、本願の実施例に記載のプロセス又は機能を全体的又は部分的に生じさせる。前記コンピュータは汎用コンピュータ、専用コンピュータ、コンピュータネットワーク又は他のプログラム可能装置であってもよい。前記コンピュータ命令はコンピュータ可読記憶媒体に記憶され、又は一方のコンピュータ可読記憶媒体から他方のコンピュータ可読記憶媒体へ伝送されてもよく、例えば、前記コンピュータ命令は一方のウェブサイト、コンピュータ、サーバ又はデータセンターから有線（例えば、同軸ケーブル、光ファイバー、デジタル加入者線（ＤＳＬ：Ｄｉｇｉｔａｌ  Ｓｕｂｓｃｒｉｂｅｒ  Ｌｉｎｅ））又は無線（例えば、赤外線、無線、マイクロ波等）方式で他方のウェブサイト、コンピュータ、サーバ又はデータセンターへ伝送されてもよい。前記コンピュータ可読記憶媒体はコンピュータが読み取り可能ないかなる利用可能媒体、又は、１つ又は複数の利用可能媒体で統合されたサーバ、データセンター等のデータ記憶装置であってもよい。前記利用可能媒体は磁気媒体、（例えば、フロッピーディスク、ハードディスク、磁気テープ）、光媒体（例えば、デジタルビデオディスク（ＤＶＤ：Ｄｉｇｉｔａｌ  Ｖｉｄｅｏ  Ｄｉｓｃ））又は半導体媒体（例えば、ソリッドステートディスク（ＳＳＤ：Ｓｏｌｉｄ  Ｓｔａｔｅ  Ｄｉｓｋ））等であってもよい。
【０１３２】
以上の説明は本願の具体的な実施形態に過ぎず、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020519087.tif 000003
【図２】
2020519087.tif 000004
【図３】
2020519087.tif 000005
【図４】
2020519087.tif 000006
【図５】
2020519087.tif 000007
【図６】
2020519087.tif 000008
【図７】
2020519087.tif 000009
【手続補正書】
【提出日】令和2年4月6日(2020.4.6)
【手続補正１】
【補正対象書類名】明細書
【補正対象項目名】００３８
【補正方法】変更
【補正の内容】
【００３８】
本願の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）システム、ロングタームエボリューション（ＬＴＥ：Ｌｏｎｇ  Ｔｅｒｍ  Ｅｖｏｌｕｔｉｏｎ）システム、ロングタームエボリューションアドバンスド（ＬＴＥ−Ａ：Ａｄｖａｎｃｅｄ  ｌｏｎｇ  ｔｅｒｍ  ｅｖｏｌｕｔｉｏｎ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、新無線インターフェース（ＮＲ：Ｎｅｗ  Ｒａｄｉｏ  Ａｃｃｅｓｓ  Ｔｅｃｈｎｏｌｏｇｙ）、５Ｇ等に適用されてもよいと理解すべきである。
【手続補正２】
【補正対象書類名】特許請求の範囲
【補正対象項目名】全文
【補正方法】変更
【補正の内容】
【特許請求の範囲】
【請求項１】
参照信号の伝送方法であって、
端末はネットワーク機器から送信された第１情報を受信し、前記第１情報は伝送対象の復調用参照信号ＤＭＲＳを伝送する際に用いた伝送パターンが第１伝送パターンであるか又は第２伝送パターンであるかを示すことに用いられることと、
前記端末が前記第１伝送パターン又は前記第２伝送パターンで示す伝送リソースにおいて前記ネットワーク機器と前記伝送対象のＤＭＲＳの伝送を行うことと、を含むことを特徴とする参照信号の伝送方法。
【請求項２】
前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きいことを特徴とする請求項１に記載の方法。
【請求項３】
前記端末がネットワーク機器から送信された第１情報を受信することは、
前記端末が前記ネットワーク機器から送信された前記第１情報を受信することを含み、前記第１情報における第１フィールドは前記伝送対象のＤＭＲＳを伝送する際に用いた伝送パターンが前記第１伝送パターンであるか又は前記第２伝送パターンであるかを示すことに用いられ、
或いは、
前記端末がネットワーク機器から送信された第１情報を受信することは、
前記端末が前記ネットワーク機器から送信された前記第１情報を受信することを含み、前記第１情報は第２フィールドが含まれるかどうかによって前記伝送対象のＤＭＲＳを伝送する際に用いた伝送パターンが前記第１伝送パターンであるか又は前記第２伝送パターンであるかを示すことを特徴とする請求項１又は２に記載の方法。
【請求項４】
前記第１情報がシステム情報、無線リソース制御ＲＲＣシグナリング、媒体アクセス制御ＭＡＣシグナリング及びダウンリンク制御情報ＤＣＩのうちの少なくとも１つであり、及び／又は
前記第１情報が物理層によって伝送されるブロードキャストメッセージに含まれることを特徴とする請求項１〜３のいずれか１項に記載の方法。
【請求項５】
参照信号の伝送方法であって、
ネットワーク機器は第１情報を端末に送信し、前記第１情報は伝送対象の復調用参照信号ＤＭＲＳを伝送する際に用いた伝送パターンが第１伝送パターンであるか又は第２伝送パターンであるかを示すことに用いられることと、
前記ネットワーク機器が前記第１伝送パターン又は前記第２伝送パターンで示す伝送リソースにおいて前記端末へ前記伝送対象のＤＭＲＳを送信することと、を含むことを特徴とする参照信号の伝送方法。
【請求項６】
前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きいことを特徴とする請求項５に記載の方法。
【請求項７】
前記ネットワーク機器が端末へ第１情報を送信することは、
前記ネットワーク機器が前記端末へ前記第１情報を送信することを含み、前記第１情報における第１フィールドは前記伝送対象のＤＭＲＳを伝送する際に用いた伝送パターンが前記第１伝送パターンであるか又は前記第２伝送パターンであるかを示すことに用いられ、
或いは、
前記ネットワーク機器が端末へ第１情報を送信することは、
前記ネットワーク機器が前記端末へ前記第１情報を送信することを含み、前記第１情報は第２フィールドが含まれるかどうかによって前記伝送対象のＤＭＲＳを伝送する際に用いた伝送パターンが前記第１伝送パターンであるか又は前記第２伝送パターンであるかを示すことを特徴とする請求項５又は６に記載の方法。
【請求項８】
前記第１情報がシステム情報、無線リソース制御ＲＲＣシグナリング、媒体アクセス制御ＭＡＣシグナリング及びダウンリンク制御情報ＤＣＩのうちのいずれか１つであり、及び／又は
前記第１情報が物理層によって伝送されるブロードキャストメッセージに含まれることを特徴とする請求項５〜７のいずれか１項に記載の方法。
【請求項９】
端末であって、
ネットワーク機器から送信された、伝送対象の復調用参照信号ＤＭＲＳを伝送する際に用いた伝送パターンが第１伝送パターンであるか又は第２伝送パターンであるかを示すための第１情報を受信するための受信ユニットと、
前記第１伝送パターン又は前記第２伝送パターンで示す伝送リソースにおいて前記ネットワーク機器と前記伝送対象のＤＭＲＳの伝送を行うための伝送ユニットと、を備えることを特徴とする端末。
【請求項１０】
前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きいことを特徴とする請求項９に記載の端末。
【請求項１１】
前記受信ユニットは、具体的に、
前記ネットワーク機器から送信された前記第１情報を受信することに用いられ、前記第１情報における第１フィールドは前記伝送対象のＤＭＲＳを伝送する際に用いた伝送パターンが前記第１伝送パターンであるか又は前記第２伝送パターンであるかを示すことに用いられ、
或いは、
前記受信ユニットは、具体的に、
前記ネットワーク機器から送信された前記第１情報を受信することに用いられ、前記第１情報は第２フィールドが含まれるかどうかによって前記伝送対象のＤＭＲＳを伝送する際に用いた伝送パターンが前記第１伝送パターンであるか又は前記第２伝送パターンであるかを示すことを特徴とする請求項９又は１０に記載の端末。
【請求項１２】
前記第１情報がシステム情報、無線リソース制御ＲＲＣシグナリング、媒体アクセス制御ＭＡＣシグナリング及びダウンリンク制御情報ＤＣＩのうちのいずれか１つであり、及び／又は
前記第１情報が物理層によって伝送されるブロードキャストメッセージに含まれることを特徴とする請求項９〜１１のいずれか１項に記載の端末。
【請求項１３】
ネットワーク機器であって、
伝送対象の復調用参照信号ＤＭＲＳを伝送する際に用いた伝送パターンが第１伝送パターンであるか又は第２伝送パターンであるかを示すための第１情報を端末に送信するための送信ユニットと、
前記第１伝送パターン又は前記第２伝送パターンで示す伝送リソースにおいて前記端末へ前記伝送対象のＤＭＲＳを送信するための伝送ユニットと、を備えることを特徴とするネットワーク機器。
【請求項１４】
前記第１伝送パターンで示す伝送ユニットにおいて前記伝送対象のＤＭＲＳを伝送する際に用いた伝送リソースの数が、前記第２伝送パターンで示す伝送ユニットにおいて前記伝送対象のＤＭＲＳを伝送する際に用いた伝送リソースの数より大きいことを特徴とする請求項１３に記載のネットワーク機器。
【請求項１５】
前記送信ユニットは、具体的に、
前記端末へ前記第１情報を送信することに用いられ、前記第１情報における第１フィールドは前記伝送対象のＤＭＲＳを伝送する際に用いた伝送パターンが前記第１伝送パターンであるか又は前記第２伝送パターンであるかを示すことに用いられ、
或いは、
前記送信ユニットは、具体的に、
前記端末へ前記第１情報を送信することに用いられ、前記第１情報は第２フィールドが含まれるかどうかによって前記伝送対象のＤＭＲＳを伝送する際に用いた伝送パターンが前記第１伝送パターンであるか又は前記第２伝送パターンであるかを示すことを特徴とする請求項１３又は１４に記載のネットワーク機器。
【請求項１６】
前記第１情報がシステム情報、無線リソース制御ＲＲＣシグナリング、媒体アクセス制御ＭＡＣシグナリング及びダウンリンク制御情報ＤＣＩのうちのいずれか１つであり、及び／又は
前記第１情報が物理層によって伝送されるブロードキャストメッセージに含まれることを特徴とする請求項１３〜１５のいずれか１項に記載のネットワーク機器。
【手続補正３】
【補正対象書類名】図面
【補正対象項目名】図６
【補正方法】変更
【補正の内容】
【図６】
2020519087.tif 000010
【手続補正４】
【補正対象書類名】図面
【補正対象項目名】図７
【補正方法】変更
【補正の内容】
【図７】
2020519087.tif 000011
【国際調査報告】
2020519087.tif 000012
2020519087.tif 000013
2020519087.tif 000014
2020519087.tif 000015